(57)【要約】【課題】室温を必要以上に低下させずにキャビン内の換気を可能とした作業機を提供する。【解決手段】運転席３０を箱型のキャビン２６内に備え、キャビン２６が、屋根２６Ｃと、フロントガラス２６Ａと、運転席３０の側面に備えるドア３１とを備え、運転者Ｄが運転席３０に着席したときに、運転者Ｄの頭部ＤＨが覗ける位置にドア３１を切り欠いて又は刳り貫いて形成された小窓３５と、その小窓３５をドア３１に開閉自在に取り付けるヒンジ３５Ｂとを備える。【選択図】図２
2006218929.tif 000002
【特許請求の範囲】
【請求項１】
運転席を箱型のキャビン内に備え、
前記キャビンが、屋根と、フロントガラスと、前記運転席の側面に備えるドアとを備える作業機において、
運転者が前記運転席に着席したときに、前記運転者の頭部が覗ける位置に前記ドアを切り欠いて又は刳り貫いて形成された小窓と、
該小窓を前記ドアに開閉自在に取り付けるヒンジとを備えることを特徴とする、作業機。
【請求項２】
前記キャビン内で、かつ前記小窓の直下に灰皿を備えることを特徴とする、請求項１に記載の作業機。
【請求項３】
前記ドアが、前部をガラスで形成するとともに、後部を金属または樹脂にて形成し、該後部に前記小窓を備えることを特徴とする、請求項１に記載の作業機。
【発明の詳細な説明】
【技術分野】
【０００１】
本発明は、運転席を箱型のキャビン内に備え、キャビンが、屋根と、フロントガラスと、運転席の側面に備えるドアとを備える、例えば、トラクタ，コンバインなどの農作業機、およびバックホー，ブルドーザなどの建設作業機、さらにはフォークリフトなどの搬送作業機など、あらゆる作業機に関する。
【背景技術】
【０００２】
図４に示すように従来のトラクタ（作業機）１は、２つの前輪２Ａと２つの後輪２Ｂとを有する４輪で後輪２Ｂの上方には運転席３を内設した箱型のキャビン４を備える。このキャビン４内には、運転席３の他にハンドル５、アクセル・ブレーキなどの操作ペダル６などを備えるとともに、キャビン４には、屋根９、フロントガラス、運転席３の側面には運転者が出入りするガラス張りのドア７、運転席３の後方にはリアガラス、キャビン４に昇降するためのステップ８などを備える。
トラクタ１の作業中にキャビン４内で運転者がタバコを吸うと、キャビン４に開閉可能な窓がないため、換気がなされず煙がキャビン４内にこもってしまうという問題があった。
【０００３】
そこで、例えば特許文献１では、キャビンに運転者が出入りするドアの後側半分にドアの上端から下端にわたってリアサイドパネルを設けている。
【０００４】
【特許文献１】特開平８−１９２６２４号公報
【発明の開示】
【発明が解決しようとする課題】
【０００５】
しかし、このようなキャビンでは、リアサイドパネルがドアの上端から下端にわたって設けられているので、冬季など外気温が低い季節に作業者がタバコを吸う際に換気のためにリアサイドパネルを開くと、キャビンを必要以上に開放し、キャビンの室温を不必要に低下させてしまうという問題があった。
そこでこの発明の目的は、室温を必要以上に低下させずにキャビン内の換気を可能とした作業機を提供することにある。
【課題を解決するための手段】
【０００６】
このため請求項１に記載の発明は、運転席を箱型のキャビン内に備え、
前記キャビンが、屋根と、フロントガラスと、前記運転席の側面に備えるドアとを備える作業機において、
運転者が前記運転席に着席したときに、前記運転者の頭部が覗ける位置に前記ドアを切り欠いて又は刳り貫いて形成された小窓と、
該小窓を前記ドアに開閉自在に取り付けるヒンジとを備えることを特徴とする。
【０００７】
請求項２に記載の発明は、請求項１に記載の作業機において、前記キャビン内で、かつ前記小窓の直下に灰皿を備えることを特徴とする。
【０００８】
請求項３に記載の発明は、請求項１に記載の作業機において、前記ドアが、前部をガラスで形成するとともに、後部を金属または樹脂にて形成し、該後部に前記小窓を備えることを特徴とする。
【発明の効果】
【０００９】
請求項１に記載の発明によれば、運転席を箱型のキャビン内に備え、キャビンが、屋根と、フロントガラスと、運転席の側面に備えるドアとを備える作業機において、運転者が運転席に着席したときに、運転者の頭部が覗ける位置にドアを切り欠いて又は刳り貫いて形成された小窓と、その小窓をドアに開閉自在に取り付けるヒンジとを備えるので、冬季など外気温が低い季節に作業者がタバコを吸う際に換気のために小窓を開いても、キャビンを必要以上に開放することがなく、キャビンの室温を不必要に低下させることを防止できる。
したがって、室温を必要以上に低下させずにキャビン内の換気を可能とした作業機を提供することができる。
【００１０】
請求項２に記載の発明によれば、キャビン内で、かつ小窓の直下に灰皿を備えるので、灰皿に置いた状態の吸いかけのタバコの煙も小窓から排気することができ、キャビン内の換気をいっそう有効に行うことができる。
【００１１】
請求項３に記載の発明によれば、ドアが、前部をガラスで形成するとともに、後部を金属または樹脂にて形成し、その後部に小窓を備えるので、容易にドアを加工して小窓を形成することができる。したがって、製造効率のよい作業機を提供することができる。
【発明を実施するための最良の形態】
【００１２】
以下、図面を参照しつつ、この発明を実施するための最良の形態について詳述する。
本発明の作業機の一例としてのトラクタの側面図を図１に示す。
トラクタ２１は、車体フレーム２２の前後に前輪２３および後輪２４を２つずつ備え、前輪２３の上方にボンネット２５を形成し、その内側には原動機部としてのエンジンを備える。そして、ボンネット２５の後部に連続してキャビン２６を設ける。
【００１３】
キャビン２６内には、エンジンキー、アクセルペダル，クラッチペダル，ブレーキペダルなどの操作ペダル２８、シフトレバー、ハンドル２９、運転席３０などを設ける。キャビン２６の外周はそれぞれフロントガラス２６Ａ、リアガラス２６Ｂ、ドア３１、屋根２６Ｃなどによって構成されている。なお、ドア３１は視認性を向上させるためガラス張りにて構成されている。また、キャビン２６の左前部にはラジオ放送などを受信するアンテナ３２を取り付けるとともに、キャビン２６の両前部には後方確認用のミラー３３を設ける。
【００１４】
キャビン２６の前方のボンネット２５上にはエンジンの排気を誘導するパイプ状の排気口３３を鉛直方向に設ける。また、キャビン２６の下方には、運転者がキャビン２６に昇降するためのステップ３４を車体フレーム２２に固定して取り付ける。
キャビン２６の後部下方には、フェンダ３６が設けられ、反射板３７がフェンダ３６の後端に取り付けられる。
【００１５】
図２にドア３１の拡大側面図を示す。ドア３１は、不図示のドア枠に、ガラス製のドア前部３１１と樹脂製のドア後部３１２を取り付けて周囲の縁部にゴムパッキン３１Ｄを取り付けて構成される。ドア前部３１１には、レバー３１Ａを取り付け、レバー３１Ａを回動することによってドア３１を開閉することができるようになっている。
ドア後部３１２には略矩形状の切り欠き３１２Ａを設ける。この切り欠き３１２Ａは、後述するように運転者Ｄが運転席３０に座ったときに、運転者Ｄの頭部ＤＨが外部から見える位置に形成される。なお、切り欠き３１２Ａに代えてドア３１２に刳り貫きを設けるてもよい。
また、ドア３１は、２つのヒンジ３１Ｂを介してトラクタ２１の本体に取り付けられる。ヒンジ３１Ｂは、一方をドア後部３１２に取り付け、他方をトラクタ２１の本体に取り付けられる。
そして、切り欠き３１２Ａを覆う大きさのガラス製の小窓ドア３５Ａをヒンジ３５Ｂを介してドア後部３１２に取り付ける。小窓ドア３５Ａには小窓ドア３５Ａを開閉するためのノブ３５Ｃを内側に突出するように設ける。小窓ドア３５Ａの縁部に沿ってゴムパッキンを取り付ける。
【００１６】
キャビン２６内には、ドア３１の内面に一定距離を隔てて手すり３８を設ける。この手すり３８とドア３１との間には、図３に示すように、灰皿３９を設ける。この灰皿３９は手すり３８に取り付ける。手すり３８は小窓３５のわずかに下方に位置するように設ける。
【００１７】
なお、ドア３１は、図３中において矢印Ａ方向に開閉するものとし、小窓ドア３５Ａは矢印Ｂ方向に開閉するものとする。また、小窓ドア３５Ａの外側面とドア前部３１１の外側面とに渡って開度規制機構を取り付けて、小窓ドア３５Ａの開度が一定以上に大きくなることを規制するようにすると好適である。この開度規制機構は、従来、自動車の側面の小窓に用いられているものでもよい。
また、切り欠き３１２Ａと小窓ドア３５Ａとを合わせて小窓３５と称する。
【００１８】
このように構成されたトラクタ２１のキャビン２６にて、運転者Ｄがタバコを吸うときは、ノブ３５Ｃをつまんで、小窓ドア３５Ａを一定量だけ開く。これによって、運転者Ｄの頭部ＤＨ付近に設けられた小窓３５から容易にタバコの煙が外部に排出される。また、小窓３５のわずか下方に設けられた灰皿３９に吸殻を置くと、タバコの煙が開放した小窓３５から容易に外部に排出される。
そして、タバコを吸い終えたらノブ３５Ｃをつまんで内側に引っ張って小窓ドア３５Ａを閉める。
【００１９】
なお、小窓３５は、タバコを吸うときに開閉するに限らず、例えば、冬季にキャビン２６内をヒータで暖めたときに、キャビン２６内の室温を下げることなく、頭部ＤＨ付近のみ冷却したいような場合にも利用するなど、必要に応じて多様な使用方法をとることができる。
また、後部ドア３１２は金属製に限定されるものではなく、樹脂製などであってもよい。
【００２０】
以上詳述したように、この例のトラクタ２１は、運転席３０を箱型のキャビン２６内に備え、キャビン２６が、屋根２６Ｃと、フロントガラス２６Ａと、運転席３０の側面に備えるドア３１とを備え、運転者Ｄが運転席３０に着席したときに、運転者Ｄの頭部ＤＨが覗ける位置にドア３１を切り欠いて又は刳り貫いて形成された小窓３５と、その小窓３５をドア３１に開閉自在に取り付けるヒンジ３５Ｂとを備えるものである。加えて、キャビン２６内で、かつ小窓３５の直下に灰皿３９を備える。さらに、ドア３１が、ドア前部３１１をガラスで形成するとともに、ドア後部３１２を金属または樹脂にて形成し、その後部ドア３１２に小窓３５を備える。
【００２１】
上述の例では、作業機の一例として、トラクタ（農作業機）について説明したが、この発明はこれに限定されるものではなく、農作業機として、コンバイン，田植機など、また、建設作業機として、バックホー，ブルドーザなど、さらには、搬送作業機として、フォークリフトなどキャビンを備えたあらゆる作業機に適用することができる。
【図面の簡単な説明】
【００２２】
【図１】この発明のトラクタの側面図である。
【図２】図１のトラクタのドア付近の拡大側面図である。
【図３】図１のトラクタのキャビンに備える小窓を開放する様子を説明するための図である。
【図４】従来のトラクタの側面図である。
【符号の説明】
【００２３】
２１    トラクタ
２２    車体フレーム
２３    前輪
２４    後輪
２５    ボンネット
２６    キャビン
２６Ａ    フロントガラス
２６Ｂ    リアガラス
２６Ｃ    屋根
２８    操作ペダル
２９    ハンドル
３０    運転席
３１    ドア
３１Ａ    ハンドル
３１Ｂ    ヒンジ
３１Ｄ    ゴムパッキン
３１１    ドア前部
３１２    ドア後部
３１２Ａ    切り欠き
３２    アンテナ
３３    ミラー
３４    ステップ
３５    小窓
３５Ａ    小窓ドア
３５Ｂ    ヒンジ
３５Ｃ    ノブ
３６    フェンダ
３７    反射板
３８    手すり
３９    灰皿
Ｄ    運転者
ＤＨ    頭部
【図１】
2006218929.tif 000003
【図２】
2006218929.tif 000004
【図３】
2006218929.tif 000005
【図４】
2006218929.tif 000006